(57)【特許請求の範囲】
【請求項１】
版胴（４）を天地方向及び左右方向に位置調整するとともに、刷版をひねり調整するプレートコッキング方式の見当補正手段（８）と、所望の見当補正量を天地方向及び左右方向並びにひねり調整の各々について入力する入力手段（９）と、該入力手段（９）からの補正情報に基づいて前記見当補正手段（８）に作動指令信号を送出する演算制御手段（２５）とを有する多色刷枚葉印刷機の見当補正装置において、前記演算制御手段（２５）は、ひねり調整に関する補正情報が刷版の版先方向への見当補正を含む場合に、該補正情報を、刷版の版先への見当補正を含まない、他の見当補正に置換する機能を有することを特徴とする多色刷枚葉印刷機の見当補正装置。
【発明の詳細な説明】
【０００１】
【産業上の利用分野】
本発明は、多色刷の枚葉印刷機に関し、特に、その見当補正装置に関する。
【０００２】
【発明の背景】
多色刷の枚葉印刷機にあっては、各色の印刷ユニットの版胴に刷版が巻着され、順次重ね刷りが行われる。この際、各色が１枚のシートの正しい位置に刷り重ねられていかなければ、良好な印刷品質を得ることができない。
【０００３】
各色についての正しい見当を得るため、シートの余白部分にトンボと通称される十文字形のレジスタマークが刷られる。そして、各色についてのレジスタマークのズレ量を測定して所望の見当補正量が決定され、天地方向／左右方向及びひねり調整についての見当補正が行なわれる。
【０００４】
【従来の技術】
天地方向／左右方向の見当補正は、版胴の回転位相の進行及び左右移動によって行われ、例えば特開昭６３−９１２５３号公報に開示されたように、既に技術的に確立されている。また、ひねり調整のための見当補正装置には、版胴自体をひねることとする版胴コッキング方式と、版胴に巻着された刷版の版先を微動させて、相対するブランケット胴との接触圧のもと、版尻方向に展延させるプレートコッキング方式とがある。このうち版胴コッキング方式は印刷機に無理がかかり易いという問題点があるので、近時は、見当補正量が大きくとれ、かつ、構成が比較的簡易なプレートコッキング方式に開発の重点が置かれてきており、例えば特開平５−７７３９８号公報に示されたひねり調整装置がある。
【０００５】
【発明が解決しようとする課題】
上記した多大なメリットにもかかわらず、プレートコッキング方式は、本来的に刷版を版先から版尻にかけて加圧展延するので、ひねり調整が版尻方向にしか行なえないという制約がある。しかしながら、実際の見当補正作業において必要とされる補正態様は様々で、版先方向に補正したい場合も勿論ある。このような場合、オペレータは、版先方向へのひねり調整を回避して所望の見当補正操作を実現するための判断や作業が困難で、かつ、時間がかかってしまう。
【０００６】
本発明は上記した問題に鑑みてなされ、進歩した見当補正装置を提供するもので、その目的は、プレートコッキングにおける補正操作を単純、容易なものとすること及びプレートコッキングにおける機能上の制約があたかも存在しないかのように、直観的で自由な補正操作を実現することにある。
【０００７】
【課題を解決するための手段】
そしてこのために、本発明に係る見当補正装置は、見当補正手段（８）に作動指令信号を送出する演算制御手段（２５）が、ひねり調整に関する補正情報が刷版の版先方向への見当補正を含む場合に、その補正情報を、版先方向への見当補正を含まない、他の見当補正操作に置換する機能を有することを特徴とする。
【０００８】
【作用】
オペレータは、ひねり調整が版先方向への見当補正を含む場合であっても、そのまま入力手段（９）に見当補正量を入力して構わない。演算制御手段（２５）は、入力手段（９）からの補正情報を判断し、実際には不可能な版先方向への見当補正を含んでいても、例えば、天地方向補正と版尻方向へのひねり調整の合成として置換演算し、見当補正手段（８）を作動させる。その結果、あたかも版先方向へのひねり調整がなされたのと同等の見当補正が実現されることとなる。
【０００９】
【実施例】
以下、図面を参照して、本発明の実施例につき詳細に説明する。図１は、本発明に係る見当補正装置を備えた多色刷枚葉印刷機の概略説明図、図２は、装置の入力手段の平面図、図３は、装置の動作フローチャート、図４から図８までは、見当補正操作のパターン説明図である。
【００１０】
図１において、符号（１）は、印刷されるシートがパイルされた給紙部、また、（２）は、印刷済みのシートが取り出される排紙部を示す。シートは、本図の場合４個所の印刷ユニット（３）を搬送されつつ、順次各色が重ね刷りされていく。
【００１１】
各印刷ユニット（３）は、各々刷版が巻着された版胴（４）、ブランケット胴（５）そして圧胴（６）から成り、これらが中間搬送胴（７）によって連結されている。
【００１２】
刷版が巻着された版胴（４）は、前掲した公報等によって十分に知られているように、版胴（４）自体をその天地方向（シートの進行方向）／左右方向（進行方向と直交する方向）に位置調整するとともに、プレートコッキング方式によって刷版をひねり調整する見当補正手段（符号（８）によって示したブロックに代表させている。）を有している。
【００１３】
符号（９）は、制御コンソールとしての入力手段を示し、図２に平面的に示すように、天地方向／左右方向についての所望見当補正量をボタン入力する区画（１０）と、ひねり調整についての所望見当補正量をボタン入力する区画（１１）とを有している。このうち、天地方向についての補正量の入力は、その増減各々についての天地の矢印が付されたボタン（１２）、（１３）を表示部（１４）に所望の値が表われるまで押すことにより行なわれる。また、左右方向についても同様に、左右の矢印が付されたボタン（１５）、（１６）を表示部（１７）を見ながら押せばよい。
【００１４】
ひねり調整については、印刷機の駆動側（例えば、進行方向左側）／操作側（同右側）のどちらに調整するのかを分けて考える必要があり、また、前述したように、版先方向への調整なのか、それとも版尻方向なのかを区別しなければならない。このため、４個のボタン（１８）、（１９）、（２０）、（２１）及び２個の表示部（２２）、（２３）が設けられている。ここで肝要なことは、本発明装置にあっては、プレートコッキング方式によっては実際には不可能な版先方向への見当補正値をそのまま入力しても構わないということである。ちなみにこの場合、表示部（２２）、（２３）には負の値が表示されることとなる。見当補正情報が全て入力された後、見当補正実行ボタン（２４）が押されて、全ての補正情報が演算制御手段（２５）に送出される。
【００１５】
演算制御手段（２５）の基本的な役割は、入力手段（９）からの補正情報に基づいて見当補正手段（８）に作動指令信号を送出することであり、このために数値計算、信号変換等の諸作業を行なう。しなしながら、本発明装置の演算制御手段（２５）はこれにとどまらず、入力手段（９）から受け取ったひねり調整に関する補正情報が刷版の版先方向への見当補正を含む場合に（このような見当補正はプレートコッキング方式においては実行できないことは既述の通りである。）、この補正情報を、版先方向への補正操作を含まない、他の見当補正操作に置換する機能を有している。
【００１６】
このような置換操作は具体的には数種類のパターンに類別できるので、図４以下のパターン説明図を参照して説明する。まず、図４のうちの左側の４−Ａに示すように、シートのレジスタマークの正しい位置（文字通り十文字で示す。）に対して、ひねり調整に関するズレ量を示すマーク（直角交差のマークとして示す。）がシートの片側についてのみずれている場合には（言い換えると、印刷機の駆動側／操作側の一方のみについて、ひねり見当がずれている場合）、そのズレ量と同量の所望補正量について、版先方向に天地補正する（４−Ｂ）。次に、シートの反対側（言い換えると、４−Ａのズレが操作側であったのなら、今度は駆動側）について所望補正量と同量を版尻方向にひねり調整する（４−Ｃ）。これにより、４−Ｄに示す通り、正しい見当となるのである。つまりこの場合、もしもプレートコッキング方式において版先方向へのひねり調整が可能であれば、４−Ａの状態から直ちに４−Ｄの正しい見当に移行するようにできるのであるが、実際には不可能であるので、版先方向への天地補正と版尻方向へのひねり調整との合成により、あたかも版先方向へのひねり調整が行なわれたのと同等の置換操作を演算制御手段（２５）が行なわせているのである。
【００１７】
次に、図５のうちの左側の５−Ａに示すように、シートの操作側も駆動側も版先方向にひねり調整が必要な場合、所望補正量がより大きい側（５−Ｂは操作側）と同量について天地補正を行なう。そして、操作側／駆動側の所望補正量の差分について、５−Ｃに示すように版尻方向にひねり調整し、正しい見当（５−Ｄ）を得るのである。
【００１８】
更に、図６の左側の６−Ａに示すように、版先方向へのひねり調整（この場合、６−Ａの右側の操作側）と版尻方向へのひねり調整（６−Ａの左側駆動側）とが同時的に要求される場合には、まず版先方向への所望補正量と同量を版先方向に天地補正し（６−Ｂ）、次いで反対側（駆動側）について、当初の版先方向への補正量と版尻方向への補正量との合計分を版尻方向にひねり調整し（６−Ｃ）、正しい見当を得る（６−Ｄ）のである。
【００１９】
なお、図７の左側の７−Ａのように、シートの一方の側のみについて版尻方向にひねり調整をすれば済む場合には、そのまま版尻方向にひねり調整すればよい（７−Ｂ）。また、図８の左側の８−Ａに示すように、操作側／駆動側両方について版尻方向にひねり調整する場合には、所望補正量が少ない分について版尻方向に天地補正した後（８−Ｂ）、両補正量の差分について所望補正量が多い側を版尻方向にひねり調整して（８−Ｃ）、正しい見当を得ることができる（８−Ｄ）。
【００２０】
最後に図３に戻って本発明装置の動作の流れを整理すると、オペレータは、レジスタマークの測定を行ない（ステージ１０１（Ｓ−１０１））、天地方向／左右方向及びひねり調整の所望見当補正量をそのまま入力手段（９）に入力する（ステージ１０２（Ｓ−１０２））。
【００２１】
演算制御手段（２５）は、ひねり調整に関する補正情報が版先方向への見当補正を含むか否かを判断し（ステージ１０３（Ｓ−１０３））、該当する場合には前述した置換演算を行なう（ステージ１０４（Ｓ−１０４））。そして作動指令信号を送出し（ステージ１０５（Ｓ−１０５））、これに基づいて見当補正補正手段（８）が作動されることとなる（ステージ１０６（Ｓ−１０６））。
【００２２】
【発明の効果】
本発明装置によれば、プレートコッキング方式によっては不可能な版先方向へのひねり調整が、演算制御手段の置換機能によって他の見当補正操作を通じて実現されるので、オペレータはただ単に直観的に入力、操作できることとなる。従って本発明装置は、プレートコッキング技術を使い勝手の面で完成に近づける重要な意義を有している。
【図面の簡単な説明】
【図１】本発明に係る見当補正装置を備えた多色刷枚葉印刷機の概略説明図である。
【図２】装置の入力手段の平面図である。
【図３】装置の動作フローチャートである。
【図４】ひねり調整のパターン説明図であって、シートの一側を版先方向にひねり調整する場合である。
【図５】シートの両側を版先方向にひねり調整する場合のパターン説明図である。
【図６】版先方向と版尻方向へのひねり調整が混在する場合のパターン説明図である。
【図７】シートの一側のみ版尻方向にひねり調整する場合のパターン説明図である。
【図８】シートの両側を版尻方向にひねり調整する場合のパターン説明図である。
【符号の説明】
３        印刷ユニット
４        版胴
８        見当補正手段
９        入力手段
２５      演算制御手段
【図１】
0003796728.tif 000002
【図２】
0003796728.tif 000003
【図３】
0003796728.tif 000004
【図４】
0003796728.tif 000005
【図５】
0003796728.tif 000006
【図６】
0003796728.tif 000007
【図７】
0003796728.tif 000008
【図８】
0003796728.tif 000009